(57)【要約】      （修正有）【課題】構造材の工場大量生産が可能であり、その結果、ユニット工法化により安定した高品質のものを安価に提供できると共に、工期の短縮が可能であり、しかも防水シートの重ね段差の生じない、フラットな見栄えの良い防水シート仕上がり木質系屋根構造を提供する。【解決手段】木質系下板１の上面に木質系上板２を、その１辺以上を下板の辺縁よりも内側へ後退させて積層一体化すると共に、上板２の表面にその大きさが下板１と同寸法ないし若干大きく形成された防水シート３を一体的に張り合せて段差付パネルＢを形成し、該段差付パネル同士を突き合わせながら根太Ａに固定し、隣接する段差付パネルの上板２と上板２の間における下板１上に、その表面に防水シート５を張り合わせた目地用パネルＣを配置せしめ、該目地用パネルを段差付パネルの下板に固定した後、段差付パネルにおける防水シート３の辺縁３ａを目地用パネルＣの防水シート５に溶着してなる。【選択図】図２
2006241832.tif 000002
【特許請求の範囲】
【請求項１】
四辺形状に形成された木質系下板の上面に、少なくともその１辺以上が上記下板より小さく四辺形状に形成された木質系上板を、少なくともその１辺以上が上記下板の辺縁より内側へ後退した状態に積層一体化すると共に前記上板の表面にはその大きさが前記下板と同寸法ないし若干大きく形成された防水シートを一体的に張り合せて段差付パネルを形成し、該段差付パネル同士を突き合わせながら根太に固定し、隣接する段差付パネルの上記上板と上板の間に形成される空間の下板上には、その表面に張り合わせた防水シートを含めて前記段差付パネルの上板と同じ厚さに形成された目地用パネルを配置せしめ、該目地用パネルを前記段差付パネルの下板に固定した後、前記段差付パネルにおける防水シートの辺縁を前記目地用パネルの防水シート上面に溶着してなることを特徴とする防水シート仕上がり木質系屋根構造。
【請求項２】
前記段差付パネルの下板上面と前記目地用パネルの下面との間に耐水シートを介設してなることを特徴とする請求項１に記載の特徴とする防水シート仕上がり木質系屋根構造。
【発明の詳細な説明】
【技術分野】
【０００１】
本発明は、木質系下地からなる勾配が３０°以下のバルコニーや屋根における木質系屋根構造に関し、更に詳しくは、防水シート仕上がり木質系屋根構造に関するものである。
【背景技術】
【０００２】
建築基準法の改正により、屋根を構成する表面材の材質に関する規制がなくなり、所定の飛び火試験に合格すれば不燃材で葺かなくとも良くなったことから、建築躯体に対する負荷軽減を目的として防水シート仕上がり木質系屋根の要求が増えてきている。
【０００３】
防水シート仕上がり木質系屋根としては、根太に上下２種の複数枚の合板野地板をそれぞれ上下の目地が重ならないように重ね張りした屋根下地（野地板）の上面に樹脂系防水シートを張り合わせたものが知られている（例えば、特許文献１参照。）。
しかしこの従来の木質系屋根では、現場施工時において天候等に左右されて工期が伸びたり、施工面積が狭い場合には作業効率が悪く比較的コスト高になってしまい、反対に、施工面積が広い場合には、防水シート同士を重ね合わせて接合する必要があることから、その接合部分に水溜りができることがあった。
【０００４】
【特許文献１】特開２００３−２０６５９８公報
【発明の開示】
【発明が解決しようとする課題】
【０００５】
本発明はこのような現状に鑑みてなされたものであり、その目的とするところは、構造材を工場で大量生産することが可能であり、その結果、ユニット工法化により安定した高品質のものを安価に提供できると共に、工期の短縮を期することが可能であり、しかも防水シートの重ね段差の生じない、フラットな見栄えの良い防水シート仕上がり木質系屋根構造を提供するにある。
【課題を解決するための手段】
【０００６】
斯かる目的を達成する本発明の防水シート仕上がり木質系屋根構造は、四辺形状に形成された木質系下板の上面に、少なくともその１辺以上が上記下板より小さく四辺形状に形成された木質系上板を、少なくともその１辺以上が上記下板の辺縁より内側へ後退した状態に積層一体化すると共に前記上板の表面にはその大きさが前記下板と同寸法ないし若干大きく形成された防水シートを一体的に張り合せて段差付パネルを形成し、該段差付パネル同士を突き合わせながら根太に固定し、隣接する段差付パネルの上記上板と上板の間に形成される空間の下板上には、その表面に張り合わせた防水シートを含めて前記段差付パネルの上板と同じ厚さに形成された目地用パネルを配置せしめ、該目地用パネルを前記段差付パネルの下板に固定した後、前記段差付パネルにおける防水シートの辺縁を前記目地用パネルの防水シート上面に溶着してなることを特徴としたものである。
この際、前記段差付パネルの下板上面と前記目地用パネルの下面との間に耐水シートを介設することが好ましい。
【発明の効果】
【０００７】
本発明に係る防水シート仕上がり木質系屋根構造によれば、段差付パネル同士を突き合わせながら根太に固定し、隣接する段差付パネルの上記上板と上板の間に形成される空間の下板上に、その表面に張り合わせた防水シートを含めて段差付パネルの上板と同じ厚さに形成された目地用パネルを配置せしめ、該目地用パネルを段差付パネルの下板に固定した後、段差付パネルにおける防水シートの辺縁同士を接合してなるので、構造材(下板、上板及び目地用パネル)が目地違いに重ね張りしながら組み合わされていくことで飛び火認定に適合した施工が可能となる。
【０００８】
しかも、構造材(段差付パネル及び目地用パネル)を工場で生産して施工現場でユニット工法化することができるので、安定した高品質のものを安価に提供することが出来ると共に、工期の短縮を期することが可能となる。
【０００９】
更に、段差付パネル同士を突き合わせながら根太に固定すると自動的に、段差付パネル表面に張り付けられた防水シートの辺縁同士が突き合わされ、且つ突き合わされた防水シートの辺縁同士が平らな目地用パネル上に載承されることになるので、防水シートの辺縁同士を接合する作業が簡便となると同時に、防水シートの辺縁に接合段差が生じない。
従って、屋根全体の仕上がり状態に段差がなく外観見栄えが良好なものになると共に、接合部分における水溜り問題を解消することが出来る。
【発明を実施するための最良の形態】
【００１０】
以下、本発明の具体的な好適実施例を、図面を参照しながら詳細に説明するが、本発明は図示した実施例のものに限定されるものではない。
本発明に係る木質系屋根構造は、根太Ａに直接固定される段差付パネルＢと目地用パネルＣとで基本的に構成される。
【００１１】
段差付パネルＢは、それぞれ四辺形状に形成された木質系下板１及び木質系上板２と、防水シート３とで構成される。すなわち、木質系下板１は厚みが９ｍｍ以上の合板やパーティクルボード又はＯＳＢ等からなる木質系平板材料を用いて長尺又は短尺の定形四角形状に形成され、その上面に当該木質系下板１と同様の材質からなる木質系上板２が積層一体化され、更に、木質系上板２の表面に防水シート３が一体的に張り合わされて段差付パネルＢが形成される。この時使用される防水シート３の厚みとしては１．３ｍｍ〜３．０ｍｍ厚のものが使用され、１．５ｍｍ〜２．０ｍｍの厚さがより好ましい。
【００１２】
上板２は、下板１の上面重ね合せたときに、少なくともその１辺以上が下板１の辺縁よりも内側へ３０ｍｍ〜７０ｍｍ程後退するように小さく形成され、少なくともその１辺以上が下板１の辺縁よりも内側へ後退した状態に積層一体化される。
ちなみに、図１及び図２に示した第１実施例のものでは、長尺状に形成された下板１の上に同じ長さの長尺状に形成された上板２が、長手方向の２辺が下板１の辺縁よりも内側へ後退するように小さく（幅狭く）形成されて、長手方向の２辺が下板１の辺縁よりも内側へ後退した状態に積層一体化されており、図３に示した第２実施例のものでは、上板２が下板１よりも少し小さく（幅狭く）形成され、長手方向の１辺が下板１の辺縁よりも内側へ後退し且つ長手方向の他辺が下板１の辺縁よりも外側へ飛び出した状態に積層一体化されている。
【００１３】
ここで、下板１と上板２の板厚は同じでも良いが、異なる厚みで形成しても良い。
なお、建築基準法による飛び火試験に適合するには総板厚として１８ｍｍ以上が必要となる。
【００１４】
下板１の上に上板２を積層一体化する方法には、木ビス、釘等６で固定しても良いし、ウレタン樹脂系、エチレン−酢酸ビニル樹脂系、フェノール樹脂系、メラミン樹脂系、アクリル酸エステル樹脂系等の接着剤で固着しても良い。更に、下板１と上板２の剥離強度をより高め、耐久性をより増すためには、木ビス、釘等６と接着剤を併用することが好ましい。
【００１５】
また、上板２の上面に張り合わされる防水シート３は、この種の防水シートとして従来から普通に使用されている熱可塑性樹脂製防水シート等を使用し得、下板１と同寸法ないしは若干大きな形状に形成され、接着剤又は固定ディスクを用いて上板２の表面に一体的に張り合わされる。熱可塑性樹脂製防水シートとしては、施工性を考慮すると塩化ビニル系樹脂製防水シートが好ましい。
【００１６】
ここで、防水シート３を上板２に接着剤を用いて張り合わせる場合、接着剤を上板２の表面のみ、或いは上板２の表面及び防水シート３の裏面に塗布して張り合わせる。接着剤としては、２液又は１液硬化型のエポキシ樹脂系、ウレタン樹脂系、ニトリルブタジエンゴム系、スチレンブタジエンゴム系接着剤等が使用できる。
【００１７】
そして、防水シート３を上板２に固定ディスクを用いて機械的に固定する場合には、例えば、その表面にポリエステル樹脂系ホットメルト接着剤が被覆されたステンレス製固定ディスクを使用し、該固定ディスクを上板２の上面にビスで固定した後、その上に防水シート３を被せ、当該防水シートの上から固定ディスクを誘導加熱装置で加熱して上記ホットメルト接着剤を溶融することにより防水シート３を固定ディスクに接着固定する。
【００１８】
更に、防水シート３を上板２に接着剤を用いて張り合わせた後に、当該防水シート３の上に塩化ビニル樹脂等の樹脂が被覆された樹脂被覆固定ディスクをビスで固定せしめ、該固定ディスクを当該固定ディスクより大きい増張りシートで被覆し、その増張りシートを防水シート３に接着又は溶着するようにしても良い。
【００１９】
一方、目地用パネルＣは、複数の段差付パネルＢを互いに突き合わせながら根太Ａ上に敷設したときに生じる隣接する段差付パネルＢの上板２と上板２の間に形成される空間を埋めるためのものであり、段差付パネルＢを構成している下板１や上板２と同じ木質系平板材からなる基板４の表面に防水シート５を接着剤で張り合わせて形成され、段差付パネルＢの下板１上に固定される。ここで使用する接着剤としては、防水シート３を上板２に張り合わせる際に使用する接着剤が使用できる。
なお、目地用パネルＣを段差付パネルＢの下板１に固定する場合に、足の長い木ビス、釘等６を使用して、段差付パネルＢの下板１を貫通して根太Ａに固定させるようにしても良い。
【００２０】
この時、目地用パネルＣとしての厚みは、段差付パネルＢの上板２と同じ厚さに形成される。すなわち、基板４とその表面に張り合わせた防水シート５を含めて段差付パネルＢの上板２と同じ厚さに形成する。また、その大きさ（巾）としては、複数の段差付パネルＢを互いに突き合わせて敷設したときに隣接する段差付パネルＢの上板２と上板２の間で形成される空間の巾Ｌとほぼ同じに形成することが好ましい。
【００２１】
次に、本発明に係る防水シート仕上がり木質系屋根の施工手順を説明する。
もやに根太Ａを打ちつけて屋根の躯体（骨組み）ができた後、その躯体（骨組み）のサイズに合った段差付パネルＢ同士を防水シート３側の面を上にして突き合わせながら根太Ａに載せて葺いて行き、各段差付パネルＢ（の下板１）を根太Ａに木ビス、釘等６で固定して、屋根面（床面）を形成する。その際、段差付パネルＢの下板１に接着剤を塗って、段差付パネルＢを根太Ａに接着固定する手段と併用するようにしても良い。
また、使用する段差付パネルＢの形態としては、屋根面（床面）を形成すべき横幅が、９１０ｍｍ〜１８２０ｍｍの場合は図示例のように、長手方向の２辺に段差があるものを使用し、それよりも大きい場合には２辺から４辺に段差がある段差付パネルＢを適宜組合わせて使用する。
【００２２】
複数の段差付パネルＢを互いに突き合わせながら屋根面（床面）を形成すると、下板１の辺縁より内側へ後退した状態に積層一体化された辺縁における隣接する段差付パネルＢの上板２と上板２の間に一定巾（Ｌ）の空間ができるので、その空間内に目地用パネルＣを差し込む。すると、目地用パネルＣは、図１及び図２に示した第１実施例の場合には隣接する段差付パネルＢの下板１と下板１にわたって隣接する段差付パネルＢ同士の目地を覆い隠すように載置され、図３に示した第２実施例の場合には隣接する段差付パネルＢの一方の下板１の上面に載置される。
【００２３】
然る後、目地用パネルＣをその防水シート５の上から木ビス、釘等６で段差付パネルＢの下板１に固定するか、目地用パネルＣを段差付パネルＢの下板１に接着剤で固着するか、或いは木ビスや釘等６と接着剤を併用して固定する。その際、目地用パネルＣの裏面、段差付パネルＢの下板１上面と間に、厚みが０．５ｍｍの片面ブチルテープ、或いは厚みが０．１ｍｍ〜０．５ｍｍのポリプロピレン繊維、ポリエステル繊維からなる耐水不織布シート等７を介在設置させても良い。そうすれば、当該接合部の耐水性を高めることができる。
【００２４】
すると、図２に示すように、目地用パネルＣの上面が、隣接する段差付パネルＢの防水シート３の辺縁３ａでもって完全に覆われると共に、隣接する段差付パネルＢの防水シート３の両辺縁３ａ，３ａが目地用パネルＣの防水シート５上面にフラット（面一状態）に且つ両辺縁３ａ，３ａの縁端同士が突き合わされた状態に載承されることになる。
そこで、隣接する段差付パネルＢの防水シート３の両辺縁３ａ，３ａを増張りシロ（接合シロ）として、目地用パネルＣの防水シート５上面に熱又は溶剤で溶着し、その後、両辺縁３ａ，３ａの縁端を塩化ビニル樹脂製シーリング材で防水処理する。
これで、防水シート仕上がり木質系屋根の施工が完了する。
【図面の簡単な説明】
【００２５】
【図１】本発明の第１実施例を示す一部切欠正面図。
【図２】図１の（Ｘ）-（Ｘ）線に沿う拡大断面図。
【図３】本発明の第２実施例を示す模式断面図。
【符号の説明】
【００２６】
Ａ：根太                Ｂ：段差付パネル
Ｃ：目地用パネル
１：木質系下板          ２：木質系上板
３：防水シート        ３ａ：防水シートの辺縁
４：基板
５：防水シート
６：木ビス、釘等
７：耐水不織シート
【図１】
2006241832.tif 000003
【図２】
2006241832.tif 000004
【図３】
2006241832.tif 000005